【手続補正書】
【提出日】平成16年6月15日(2004.6.15)
【手続補正１】
【補正対象書類名】明細書
【補正対象項目名】特許請求の範囲
【補正方法】変更
【補正の内容】
【特許請求の範囲】
【請求項１】
被測定者の身体部分に対して間隔を置いて、少なくとも２対の電極を接触配置し、前記電極対のうちの１対の電極を通して交流電流を供給し、他の１対の電極間の電圧を測定し、前記供給された交流電流と前記測定された電圧とに基づいて前記身体部分の細胞外液量対体水分量比よりむくみを表すむくみ指標値を求めることを特徴とするむくみ測定方法。
【請求項２】
前記供給する交流電流は、複数の異なる周波数の交流電流であり、前記むくみ指標値は、各周波数の交流電流とこれに対応して測定された電圧とに基づいて算出される請求項１に記載のむくみ測定方法。
【請求項３】
前記供給する交流電流は、単一の周波数の交流電流であり、前記むくみ指標値は、前記供給された交流電流の位相と前記測定された電圧の位相との間の位相差と、前記測定された電圧と前記供給された交流電流とから求められる抵抗値とから求められる請求項１に記載のむくみ測定方法。
【請求項４】
前記むくみ指標値は、通常のむくみを表す基準むくみ指標値と比較することで被測定者のむくみの度合を判定する請求項１または２または３に記載のむくみ測定方法。
【請求項５】
前記むくみ指標値は、被測定者の過去に求められた基準むくみ指標値の平均値と比較することで被測定者のむくみの度合を判定する請求項１または２または３に記載のむくみ測定方法。
【請求項６】
被測定者の身体部分に対して間隔を置いて接触配置される少なくとも２対の電極と、前記電極対のうちの１対の電極に交流電流を供給する交流電流供給手段と、他の１対の電極間の電圧を測定する電圧測定手段と、前記供給された交流電流と前記測定された電圧とに基づいて前記身体部分の細胞外液量対体水分量比よりむくみを表すむくみ指標値を求める演算手段とを備えることを特徴とするむくみ測定装置。
【請求項７】
前記供給する交流電流は、複数の異なる周波数の交流電流であり、前記むくみ指標値は、各周波数の交流電流とこれに対応して測定された電圧とに基づいて算出される請求項６に記載のむくみ測定装置。
【請求項８】
前記供給された交流電流の位相と前記測定された電圧の位相との間の位相差を測定する位相差測定手段を更に備え、前記供給する交流電流は、単一の周波数の交流電流であり、前記むくみ指標値は、前記測定された電圧と前記供給された交流電流とから算出されるインピーダンスベクトル値から求められる請求項６に記載のむくみ測定装置。
【請求項９】
通常のむくみを表す基準むくみ指標値を記憶する基準値記憶手段と、前記求められたむくみ指標値を前記基準むくみ指標値と比較することにより前記被測定者のむくみの度合を判定する判定手段とを備える請求項６または７または８に記載のむくみ測定装置。
【請求項１０】
前記被測定者の過去に求められたむくみ指標値の平均値を記憶する平均値記憶手段と、現在求められたむくみ指標値を前記平均値と比較することにより前記被測定者のむくみの度合を判定する判定手段とを備える請求項６または７または８に記載のむくみ測定装置。
【請求項１１】
前記測定された電圧、前記測定された位相差、該測定値から算出されたパラメータ、前記求められたむくみ指標値、前記判定されたむくみの度合、個人パラメータのうちの少なくとも１つを、他のデータ処理装置に送信する通信手段を備える請求項６から１０のうちのいずれか１項に記載のむくみ測定装置。
【請求項１２】
前記測定された電圧、前記測定された位相差、該測定値から算出されたパラメータ、前記求められたむくみ指標値、前記判定されたむくみの度合、個人パラメータのうちの少なくとも１つを、携帯可能、かつ、他のデータ処理装置により読み取り可能な記録媒体に記録するための記録手段を備える請求項６から１１のうちのいずれか１項に記載のむくみ測定装置。
【請求項１３】
前記求められたむくみ指標値及び／もしくは前記判定されたむくみの度合を表示する表示手段を備える請求項６から１２のうちのいずれか１項に記載のむくみ測定装置。
【請求項１４】
前記求められたむくみ指標値を記憶する指標値記憶手段を更に備え、前記表示手段は前記求められたむくみ指標値の推移を表示する請求項１３に記載のむくみ測定装置。
【請求項１５】
携帯端末とデータ処理装置とを備え、
該携帯端末は、被測定者の身体部分に対して間隔を置いて接触配置される少なくとも２対の電極と、前記電極対のうちの１対の電極に交流電流を供給する交流電流供給手段と、他の１対の電極間の電圧を測定する電圧測定手段と、前記供給された交流電流と前記測定された電圧とに基づいて前記身体部分のむくみを表すむくみ指標値を求める演算手段と、演算結果及び前記データ処理装置からのデータを表示する表示手段と、前記データ処理装置とデータを送受信する通信手段とを備え、
前記データ処理装置は、携帯端末とデータを送受信する通信手段と、携帯端末からのデータを処理するデータ処理手段とを備え、
前記携帯端末から前記データ処理装置へ測定データ及び／もしくは演算データが送信され、前記データ処理装置により該データが処理され、前記データ処理装置から前記携帯端末へ該処理データが送信され、前記携帯端末により該処理データが表示されることを特徴とするむくみ測定システム。
【請求項１６】
前記供給する交流電流は、複数の異なる周波数の交流電流であり、前記むくみ指標値は、各周波数の交流電流とこれに対応して測定された電圧とに基づいて算出される請求項１５に記載のむくみ測定システム。
【請求項１７】
前記供給された交流電流の位相と前記測定された電圧の位相との間の位相差を測定する位相差測定手段を更に備え、前記供給する交流電流は、単一の周波数の交流電流であり、前記むくみ指標値は、前記測定された位相差と、前記測定された電圧と前記供給された交流電流とから求められる抵抗値とから求められる請求項１５に記載のむくみ測定システム。
【請求項１８】
通常のむくみを表す基準むくみ指標値を記憶する基準値記憶手段と、前記求められたむくみ指標値を前記基準むくみ指標値と比較することにより前記被測定者のむくみの度合を判定する判定手段とを備える請求項１５または１６または１７に記載のむくみ測定システム。
【請求項１９】
前記被測定者の過去に求められたむくみ指標値の平均値を記憶する平均値記憶手段と、現在求められたむくみ指標値を前記平均値と比較することにより前記被測定者のむくみの度合を判定する判定手段とを備える請求項１５から１８のうちのいずれか１項に記載のむくみ測定システム。
【手続補正２】
【補正対象書類名】明細書
【補正対象項目名】０００６
【補正方法】変更
【補正の内容】
【０００６】
【課題を解決するための手段】
本発明の一つの観点によれば、被測定者の身体部分に対して間隔を置いて、少なくとも２対の電極を接触配置し、前記電極対のうちの１対の電極を通して交流電流を供給し、他の１対の電極間の電圧を測定し、前記供給された交流電流と前記測定された電圧とに基づいて前記身体部分の細胞外液量対体水分量比よりむくみを表すむくみ指標値を求めることを特徴とするむくみ測定方法が提供される。
【手続補正３】
【補正対象書類名】明細書
【補正対象項目名】０００７
【補正方法】変更
【補正の内容】
【０００７】
本発明の一つの実施の形態によれば、前記供給する交流電流は、複数の異なる周波数の交流電流であり、前記むくみ指標値は、各周波数の交流電流とこれに対応して測定された電圧とに基づいて算出される。また、本発明の別の実施の形態によれば、前記供給する交流電流は、単一の周波数の交流電流であり、前記むくみ指標値は、前記供給された交流電流の位相と前記測定された電圧の位相との間の位相差と、前記測定された電圧と前記供給された交流電流とから求められる抵抗値とから求められる。
【手続補正４】
【補正対象書類名】明細書
【補正対象項目名】０００８
【補正方法】変更
【補正の内容】
【０００８】
本発明の更に別の実施の形態によれば、前記むくみ指標値は、通常のむくみを表す基準むくみ指標値と比較することで被測定者のむくみの度合を判定する。また、本発明の更に別の実施の形態によれば、前記むくみ指標値は、被測定者の過去に求められた基準むくみ指標値の平均値と比較することで被測定者のむくみの度合を判定する。
【手続補正５】
【補正対象書類名】明細書
【補正対象項目名】０００９
【補正方法】変更
【補正の内容】
【０００９】
本発明の別の観点によれば、被測定者の身体部分に対して間隔を置いて接触配置される少なくとも２対の電極と、前記電極対のうちの１対の電極に交流電流を供給する交流電流供給手段と、他の１対の電極間の電圧を測定する電圧測定手段と、前記供給された交流電流と前記測定された電圧とに基づいて前記身体部分の細胞外液量対体水分量比よりむくみを表すむくみ指標値を求める演算手段とを備えることを特徴とするむくみ測定装置が提供される。
【手続補正６】
【補正対象書類名】明細書
【補正対象項目名】００１０
【補正方法】変更
【補正の内容】
【００１０】
本発明の一つの実施の形態によれば、前記供給する交流電流は、複数の異なる周波数の交流電流であり、前記むくみ指標値は、各周波数の交流電流とこれに対応して測定された電圧とに基づいて算出される。また、本発明の別の実施の形態によれば、前記むくみ測定装置は、前記供給された交流電流の位相と前記測定された電圧の位相との間の位相差を測定する位相差測定手段を更に備え、前記供給する交流電流は、単一の周波数の交流電流であり、前記むくみ指標値は、前記測定された電圧と前記供給された交流電流とから算出されるインピーダンスベクトル値から求められる。
【手続補正７】
【補正対象書類名】明細書
【補正対象項目名】００１１
【補正方法】変更
【補正の内容】
【００１１】
本発明の更に別の実施の形態によれば、前記むくみ測定装置は、通常のむくみを表す基準むくみ指標値を記憶する基準値記憶手段と、前記求められたむくみ指標値を前記基準むくみ指標値と比較することにより前記被測定者のむくみの度合を判定する判定手段とを備える。また、本発明の更に別の実施の形態によれば、前記むくみ測定装置は、前記被測定者の過去に求められたむくみ指標値の平均値を記憶する平均値記憶手段と、現在求められたむくみ指標値を前記平均値と比較することにより前記被測定者のむくみの度合を判定する判定手段とを備える。
【手続補正８】
【補正対象書類名】明細書
【補正対象項目名】００１２
【補正方法】変更
【補正の内容】
【００１２】
本発明の更に別の実施の形態によれば、前記むくみ測定装置は、前記測定された電圧、前記測定された位相差、該測定値から算出されたパラメータ、前記求められたむくみ指標値、前記判定されたむくみの度合、個人パラメータのうちの少なくとも１つを、他のデータ処理装置に送信する通信手段を備える。また、本発明の更に別の実施の形態によれば、前記むくみ測定装置は、前記測定された電圧、前記測定された位相差、該測定値から算出されたパラメータ、前記求められたむくみ指標値、前記判定されたむくみの度合、個人パラメータのうちの少なくとも１つを、携帯可能、かつ、他のデータ処理装置により読み取り可能な記録媒体に記録するための記録手段を備える。
【手続補正９】
【補正対象書類名】明細書
【補正対象項目名】００１３
【補正方法】変更
【補正の内容】
【００１３】
本発明の更に別の実施の形態によれば、前記むくみ測定装置は、前記求められたむくみ指標値及び／もしくは前記判定されたむくみの度合を表示する表示手段を備える。また、本発明の更に別の実施の形態によれば、前記むくみ測定装置は、前記求められたむくみ指標値を記憶する指標値記憶手段を更に備え、前記表示手段は前記求められたむくみ指標値の推移を表示する。
【手続補正１０】
【補正対象書類名】明細書
【補正対象項目名】００１４
【補正方法】変更
【補正の内容】
【００１４】
本発明の更に別の観点によれば、携帯端末とデータ処理装置とを備え、該携帯端末は、被測定者の身体部分に対して間隔を置いて接触配置される少なくとも２対の電極と、前記電極対のうちの１対の電極に交流電流を供給する交流電流供給手段と、他の１対の電極間の電圧を測定する電圧測定手段と、前記供給された交流電流と前記測定された電圧とに基づいて前記身体部分のむくみを表すむくみ指標値を求める演算手段と、演算結果及び前記データ処理装置からのデータを表示する表示手段と、前記データ処理装置とデータを送受信する通信手段とを備え、前記データ処理装置は、携帯端末とデータを送受信する通信手段と、携帯端末からのデータを処理するデータ処理手段とを備え、前記携帯端末から前記データ処理装置へ測定データ及び／もしくは演算データが送信され、前記データ処理装置により該データが処理され、前記データ処理装置から前記携帯端末へ該処理データが送信され、前記携帯端末により該処理データが表示されることを特徴とするむくみ測定システムが提供される。
【手続補正１１】
【補正対象書類名】明細書
【補正対象項目名】００１５
【補正方法】変更
【補正の内容】
【００１５】
本発明の一つの実施の形態によれば、前記供給する交流電流は、複数の異なる周波数の交流電流であり、前記むくみ指標値は、各周波数の交流電流とこれに対応して測定された電圧とに基づいて算出される。また、本発明の別の実施の形態によれば、前記むくみ測定システムは、前記供給された交流電流の位相と前記測定された電圧の位相との間の位相差を測定する位相差測定手段を更に備え、前記供給する交流電流は、単一の周波数の交流電流であり、前記むくみ指標値は、前記測定された位相差と、前記測定された電圧と前記供給された交流電流とから求められる抵抗値とから求められる。
【手続補正１２】
【補正対象書類名】明細書
【補正対象項目名】００１６
【補正方法】変更
【補正の内容】
【００１６】
本発明の更に別の実施の形態によれば、前記むくみ測定システムは、通常のむくみを表す基準むくみ指標値を記憶する基準値記憶手段と、前記求められたむくみ指標値を前記基準むくみ指標値と比較することにより前記被測定者のむくみの度合を判定する判定手段とを備える。また、本発明の更に別の実施の形態によれば、前記むくみ測定システムは、前記被測定者の過去に求められたむくみ指標値の平均値を記憶する平均値記憶手段と、現在求められたむくみ指標値を前記平均値と比較することにより前記被測定者のむくみの度合を判定する判定手段とを備える。